(57)【要約】【課題】  簡単な構成により、任意の大きさの丸薬包装体を確実に挟持して丸薬を取り出すことが可能となる丸薬取り出し装置を提供する。【解決手段】  丸薬を内包する丸薬包装体から前記丸薬を取り出すための丸薬取り出し装置であって、前記丸薬包装体を押圧する突出部を有するアーム部材と、前記アーム部材に対向配置されたベース部材と、前記ベース部材の他端に取り付けられた一対の包装体挟持部と、を少なくとも備え、前記ベース部材は、前記アーム部材の前記突出部に対応する位置に貫通孔を有し、前記包装体挟持部は、一対の挟持部材と、前記挟持部材の一端を前記ベース部材に回動自在に固定する固定具と、からなり、前記一対の挟持部材は、前記貫通孔を挟んで対向する位置に配置されることを特徴とする。【選択図】図１
2018110756.tif 000002
【特許請求の範囲】
【請求項１】
丸薬を内包する丸薬包装体から前記丸薬を取り出すための丸薬取り出し装置であって、
前記丸薬包装体を押圧する突出部を有するアーム部材と、前記アーム部材に対向配置されたベース部材と、前記アーム部材の一端を前記ベース部材の一端に回動自在に固定する回動固定部と、前記ベース部材の他端に取り付けられた一対の包装体挟持部と、取り出された前記丸薬を収容する丸薬収容部と、を備え、
前記ベース部材は、前記アーム部材の前記突出部に対応する位置に貫通孔を有し、
前記包装体挟持部は、一対の挟持部材と、前記挟持部材の一端を前記ベース部材に回動自在に固定する固定具と、からなり、前記一対の挟持部材は、前記貫通孔を挟んで対向する位置に配置され、
前記丸薬収容部は、前記ベース部材の前記貫通孔における前記包装体挟持部と対向する側に着脱自在に取り付けられる
ことを特徴とする丸薬取り出し装置。
【請求項２】
前記一対の挟持部材は、上側挟持部材と下側挟持部材とで構成され、前記上側挟持部材及び前記下側挟持部材とは、互いに積層された状態で固定具に固定される
ことを特徴とする請求項１に記載の丸薬取り出し装置。
【請求項３】
前記丸薬収容部は、前記ベース部材に複数取り付けられ、当該複数の丸薬収容部のうちの１つが前記貫通孔の位置に取り付けられる
ことを特徴とする請求項１又は２に記載の丸薬取り出し装置。
【請求項４】
前記アーム部材は、その一端を回動自在に取り付けられた照明部をさらに有する
ことを特徴とする請求項１乃至３のいずれか１つに記載の丸薬取り出し装置。
【発明の詳細な説明】
【技術分野】
【０００１】
本発明は、透明の樹脂シートとアルミ箔との間に丸薬を収容した丸薬包装体から丸薬を取り出すための装置に関し、特に、丸薬の大きさが異なる場合であっても、丸薬包装体から丸薬を１つずつ確実に取り出すことができる丸薬取り出し装置に関する。
【背景技術】
【０００２】
従来、錠剤やカプセル等の丸薬は、透明な樹脂シートとアルミ箔とを貼着した丸薬包装体（例えば、ＰＴＰ包装体等）の内側に収容された状態で、持ち運びが可能とされている。これらの丸薬包装体から丸薬を取り出す場合、通常は指で樹脂シートを押圧し、内包された丸薬で裏側のアルミ箔を破断させることにより、包装体の外側に取り出している。このとき、手が不自由な人や高齢者、あるいは体調を崩した病人等が、上記の方法で丸薬を取り出そうとすると、容易に取り出すことが困難である上に、場合によっては取り出し時に落下させてしまう等の問題があり、丸薬を容易に取り出すための装置が求められている。
【０００３】
例えば、特許文献１では、押圧時にズレたりしないように、包装体を確実に挟持固定することを意図した錠剤及び包装体の押し出し装置として、大きさの異なる錠剤が通過する通過孔を有する基盤体と、該基盤体上に設けられ先端から任意のＰＴＰ包装体のシート部を前記基盤体との間に挿入した際にＰＴＰ包装体の隆起部の大きさに合わせて左右開閉可能となるとともに隆起部を挟接する手段を有する挟接部を形成する押圧定置盤と、回動機構を介して前記基盤体に取り付けられ前記挟接部に挟持されたＰＴＰ包装体内の錠剤を落下させる押し出し片を有する押し具と、該押し具下方に設けられた前記押し出し片が下がる際に前記挟接部を下方へ押し下げる押圧部材とよりなる構成が開示されている。
【先行技術文献】
【特許文献】
【０００４】
【特許文献１】特許第５９５３６２３号公報
【発明の概要】
【発明が解決しようとする課題】
【０００５】
上記特許文献１に記載された押し出し装置において、押圧定置盤の隆起部を挟接する手段は、一対の挟接部を一対の弾発部により一体に接続した構成を有しており、当該挟接部の間に大きさの異なるＰＴＰ包装体を挿入した場合に、上記一対の挟接部の間隔が変動する。そして、包装体のシート部を押圧定置盤と基盤体との間に挟持した状態で、基盤体に形成された押圧部材（押圧バネ）が押圧定置盤を押圧することにより、ＰＴＰ包装体を挟持するように構成されている。
【０００６】
しかしながら、特許文献１に記載された押圧定置盤は、包装体のシート部に挟持圧力を負荷するために押圧バネを備えることが必須であり、また押圧定置盤の一対の挟接部は一対の弾発部にそれぞれ接続されているため、押圧バネによる押圧時に、例えば左右方向に位置ズレする余地がある。さらに、特許文献１の押圧定置盤は、一対の挟接部の間隔が大きくなる方向には裕度があるが、その間隔が小さくなる方向には、スリットが突き当たった場合にそれ以上小さくなることができない。
【０００７】
そこで、本発明の目的は、簡単な構成により、任意の大きさの丸薬包装体を確実に挟持して丸薬を取り出すことが可能となる丸薬取り出し装置を提供することにある。
【課題を解決するための手段】
【０００８】
上記課題を解決するために、本発明は、丸薬を内包する丸薬包装体から前記丸薬を取り出すための丸薬取り出し装置であって、前記丸薬包装体を押圧する突出部を有するアーム部材と、前記アーム部材に対向配置されたベース部材と、前記アーム部材の一端を前記ベース部材の一端に回動自在に固定する回動固定部と、前記ベース部材の他端に取り付けられた一対の包装体挟持部と、取り出された前記丸薬を収容する丸薬収容部と、を備え、前記ベース部材は、前記アーム部材の前記突出部に対応する位置に貫通孔を有し、前記包装体挟持部は、一対の挟持部材と、前記挟持部材の一端を前記ベース部材に回動自在に固定する固定具と、からなり、前記一対の挟持部材は、前記貫通孔を挟んで対向する位置に配置され、前記丸薬収容部は、前記ベース部材の前記貫通孔における前記包装体挟持部と対向する側に着脱自在に取り付けられることを特徴とする。
【０００９】
かかる発明によれば、一端をベース部材に回転自在に固定された一対の挟持部材により、当該一対の挟持部材の間隔を丸薬包装体の幅に合わせて任意に調整可能となるため、簡単な構成により、任意の大きさの丸薬包装体を確実に挟持して丸薬を取り出すことができる。
【００１０】
上記した発明において、前記一対の挟持部材は、上側挟持部材と下側挟持部材とで構成され、前記上側挟持部材及び前記下側挟持部材とは、互いに積層された状態で固定具に固定されるように構成してもよい。かかる発明によれば、丸薬の幅が貫通孔の幅より小さい場合であっても、上側挟持部材と下側挟持部材との間で確実に丸薬包装体のシート部を挟持することが可能となる。
【００１１】
また、上記した発明において、前記丸薬収容部は、前記ベース部材に複数取り付けられ、当該複数の丸薬収容部のうちの１つが前記貫通孔の位置に取り付けられるように構成してもよい。かかる発明によれば、例えば、朝と晩とで必要な丸薬を丸薬包装体から取り出した状態で携帯あるいは保管することが可能となる。
【００１２】
さらに、上記した発明において、前記アーム部材は、その一端を回動自在に取り付けられた照明部をさらに有するように構成してもよい。かかる発明によれば、手元の明るさが不十分な場合等においても、例えば、アーム部材の押圧部の近傍を明るく照らすことができるため、丸薬の取り出し動作を確実に行うことが可能となる。
【図面の簡単な説明】
【００１３】
【図１】本発明の実施例１による丸薬取り出し装置の概要を示す側面図であって、図１（ａ）はアーム部材が閉じた状態を示す図であり、図１（ｂ）はアーム部材が開いた状態を示す図である。
【図２】図１に示した一対の包装体挟持部の概要を示す図であって、図２（ａ）は要部を拡大した側面図であり、図２（ｂ）は図２（ａ）の矢印Ａ方向から見た上面図である。
【図３】本発明の実施例１による丸薬取り出し装置を用いて丸薬を取り出す動作を説明する図であって、図３（ａ）は第１段階、図３（ｂ）は第２段階、図３（ｃ）は第３段階の状態をそれぞれ示す側面図である。
【図４】本発明の実施例２による丸薬取り出し装置の概要を示す側面図であって、図４（ａ）は２つの丸薬収容部をそれぞれベース部材に取り付けた状態を示し、図２（ｂ）は２つの丸薬収容部をベース部材から取り外した状態を示している。
【図５】本発明の実施例３による丸薬取り出し装置の概要を示す側面図であって、図５（ａ）は照明部をアーム部材に取り付けた装置の側面図であり、図４（ｂ）は照明部の具体的な使用状態を示す側面図である。
【発明を実施するための形態】
【００１４】
以下、本発明による丸薬取り出し装置の具体的な構成について図面を用いて説明する。なお、以下の説明において、「丸薬」とは、錠剤あるいはカプセル体等を意味するものであり、その断面が円形や角丸形あるいは楕円形状のもの等、任意の形状のものを含み得る。また、「丸薬包装体」とは、例えば、透明な樹脂シートを丸薬の形状に合わせて凹ませたものにアルミ箔を貼着して封止したＰＴＰ包装体等を意味するものであり、外側から押圧力を負荷することによりアルミ箔が破断して中身の丸薬が取り出せる構造のものを含み得る。
【００１５】
＜実施例１＞
図１は、本発明の実施例１による丸薬取り出し装置の概要を示す側面図であって、図１（ａ）はアーム部材が閉じた状態を示し、図１（ｂ）はアーム部材が開いた状態を示している。図１に示すように、実施例１よる丸薬取り出し装置１００は、後述する突出部１１３を有するアーム部材１１０と、当該アーム部材１１０に対向配置されたベース部材１２０と、上記アーム部材１１０の一端を上記ベース部材１２０の一端に回動自在に固定する回動固定部１３０と、上記ベース部材１２０の他端の上面に取り付けられた一対の包装体挟持部１４０と、取り出された丸薬を収容する丸薬収容部１５０と、を備える。
【００１６】
アーム部材１１０は、下側に開いた断面略コの字形の本体部１１１のベース部材１２０に対向する面（下面）側に、後述する丸薬包装体１７０のカバー部１７２を押圧する突出部１１３が基部１１２を介して取り付けられて構成されている。このとき、一例として、突出部１１３の本体部１１１の長手方向における位置は、基部１１２をスライド自在とすることによって可変となるような構造を備えている。また、突出部１１３の下面（丸薬包装体１７０との接触面）は、例えば球面の一部等の曲面であることが好ましい。一方、本体部１１１の上面側における突起部１１３と対応する位置の近傍に押圧部１１４が取り付けられている。このとき、押圧部１１４の表面には、指や手の平が接触した際に滑り止めとなる形状や表面処理が施されていることが好ましい。
【００１７】
ベース部材１２０は、丸薬包装体１７０から取り出された丸薬Ｔ（図３参照）が通過する貫通孔１２１ａが一端に形成された基板部１２１を含む。そして、基板部１２１の上面における他端（貫通孔１２１ａとは反対側の端部）には、アーム部材１１０の本体部１１１の一端（突出部１１３とは反対側の端部）を回動自在に固定する回動固定部１３０が取り付けられている。さらに、基板部１２１の貫通孔１２１ａが形成された位置の下面側には、後述する丸薬収容部１５０を取り付けるための取付部１２２が設けられている。一方、取付部１２２と対向する基板部１２１の上面側には、一対の包装体挟持部１４０が取り付けられている。
【００１８】
回動固定部１３０は、基板部１２１の幅方向に対向する一対の支持板１３１と、当該一対の支持板１３１の各々に形成された挿通孔１３２と、で構成されている。本実施例１において、その一例として、アーム部材１１０の本体部１１１の一端には、対向する側壁を接続する回動軸（図示せず）が取り付けられており、この回動軸を本体部１１１に取り付ける際に、当該回動軸を一対の支持板１３１に形成された挿通孔１３２に挿通することにより、アーム部材１１０を回動固定部１３０に回動自在に固定する。
【００１９】
丸薬収容部１５０は、本実施例１においては、例えば有底の円筒部材であって、後述するように、その上端近傍に雄ねじ部（図４（ｂ）の符号２５１参照）が形成されている。一方、ベース部材１２０の基板部１２１に設けられた取付部１２２も円筒状の部材であって、その内周面に雌ねじ部（図示せず）が形成されている。そして、丸薬収容部１５０は、取付部１２２にねじ込むことにより、着脱自在に取り付けられる。
【００２０】
図２は、図１に示した一対の包装体挟持部の概要を示す図であって、図２（ａ）は要部を拡大した側面図であり、図２（ｂ）は図２（ａ）の矢印Ａ方向から見た上面図である。図２に示すように、一対の包装体挟持部１４０は、下側挟持部材（下側挟持バー）１４１と上側挟持部材（上側挟持バー）１４２とを重ね合わせ、基板部１２１の貫通孔１２１ａの幅方向の側部に沿って、その一端を締結部材（固定部）１４３により回動自在に基板部１２１に取り付けた構造を備えている。一方、下側挟持部材１４１及び上側挟持部材１４２の他端は、いずれも先端がやや屈曲した自由端１４１ａ、１４２ａとなるように形成されている。このような構造により、図２（ｂ）に示すように、下側挟持部材１４１及び上側挟持部材１４２は、締結部材１４３を中心としてそれぞれ独立して回動することが可能となる。
【００２１】
図２に示す包装体挟持部１７０において、締結部材１４３は、ベース部材１２０の基板部１２１上に取り付けられて内側に雌ねじが形成された台座部１４３ａと、フランジ状の頭部を備えかつ軸部に雄ねじが形成されたねじ込み部１４３ｂと、で構成されている。そして、ねじ込み部１４３ｂを弛めることにより台座部１４３ａとねじ込み部１４３ｂの頭部との間隔が広がり、ねじ込み部１４３ｂをねじ込むことによりその間隔が狭まるように構成されており、これによって下側挟持部材１４１と上側挟持部材１４２との間隔を調整し、これらの間に後述する丸薬包装体１７０のシート部１７１を挟持・固定することができる。
【００２２】
かかる構成により、本発明の実施例１による丸薬取り出し装置１００は、包装体挟持部１４０を、締結部材１４３を中心に回動するバー状の下側挟持部材１４１及び上側挟持部材１４２で構成したため、丸薬包装体の幅方向の大きさが大きくあるいは小さくなったとしても、一対の挟持部材がそれぞれ回動して互いの間隔を任意に調整しつつ丸薬包装体のシート部を挟持することが可能となる。特に、一対の挟持部材を下側挟持部材１４１及び上側挟持部材１４２とで形成することにより、丸薬包装体の幅がベース部材１２０の貫通孔１２１ａより小さい場合であっても、確実にシート部を挟持して保持することが可能となる。なお、丸薬包装体のシート部の幅が上記貫通孔１２１ａの幅に対して十分に大きい場合には、下側挟持部材１４１を省略して上側挟持部材１４２と基板部１２１との間にシート部を挟持するように構成してもよい。
【００２３】
図３は、本発明の実施例１による丸薬取り出し装置を用いて丸薬を取り出す動作を説明する図であって、図３（ａ）は第１段階、図３（ｂ）は第２段階、図３（ｃ）は第３段階の状態をそれぞれ示す側面図である。本発明の実施例１による丸薬取り出し装置１００を用いて丸薬包装体１７０から丸薬Ｔを取り出す動作としては、図３（ａ）に示すように、まず、丸薬取り出し装置１００における一対の包装体挟持部１４０の下型挟持部材１４１と上側挟持部材１４２との間に、丸薬包装体１７０のシート部１７１を挟み込んで固定する。
【００２４】
続いて、図３（ｂ）に示すように、一対の包装体挟持部１４０に挟持固定された丸薬包装体１７０のカバー部１７２の外面に突出部１１３の先端が接触する位置まで、アーム部材１１０の本体部１１１を回動させる。その後、図３（ｃ）に示すように、本体部１１１の上面に設けられた押圧部１１４に押圧力Ｐを負荷することにより、突起部１１３が丸薬包装体１７０のカバー部１７２を押し潰すように押圧する。すると、カバー部１７２の内部に収容されている丸薬Ｔがシート部１７１に貼着されていたアルミ箔を破断する。これにより、丸薬包装体１７０に内包されていた丸薬Ｔが、ベース部材１２０の基板部１２１に形成された貫通孔１２１ａを通過して丸薬収容部１５０内に落下し、丸薬Ｔが安全かつ確実に取り出される。
【００２５】
＜実施例２＞
図４は、本発明の実施例２による丸薬取り出し装置の概要を示す側面図であって、図４（ａ）は２つの丸薬収容部をそれぞれベース部材に取り付けた状態を示し、図４（ｂ）は２つの丸薬収容部をベース部材から取り外した状態を示している。なお、本実施例２において、図１乃至図３に示した実施例１による丸薬取り出し装置１００と同一あるいは共通する構成については、同一の符号を付して再度の説明を省略する。
【００２６】
図４に示すように、本発明の実施例２による丸薬取り出し装置２００は、その一例として、ベース部材１２０の基板部１２１に、２つの丸薬収容部１５０、２５０が着脱自在に取り付けられている。すなわち、基板部１２１の一端側（貫通孔１２１ａが形成された側）に設けられた実施例１と同様の第１の取付部１２２及び第１の丸薬収容部１５０と、基板部１２１の他端側（回動固定部１３０が取り付けられた側）に設けられた第２の取付部２２２及び第２の丸薬収容部２５０と、を備える。
【００２７】
図４（ｂ）に示すように、第１の丸薬収容部１５０及び第２の丸薬収容部２５０には、それぞれ上端近傍に雄ねじ部１５１、２５１が形成されており、図４（ａ）に示す符号Ｒのように回転させることで、第１の取付部１２２及び第２の取付部２２２にそれぞれ着脱自在に取り付けられる。そして、第１の丸薬収容部１５０と第２の丸薬収容部２５０との形状を同一のものとして形成することにより、互いの位置を交換して取り付けることが可能となるように構成する。
【００２８】
かかる構成により、例えば第１の丸薬収容部１５０に丸薬を取り出した後、第２の丸薬収容部２５０と位置を入れ替えることにより、一方の丸薬収容部に所望の丸薬を安全に保管しつつ他方の丸薬収容部に新たに他の丸薬を取り出す作業を行うことが可能となる。また、例えば一方の丸薬収容部（第１の丸薬収容部１５０）を朝に服用する丸薬用とし、他方の丸薬収容部（第２の丸薬収容部２５０）を夜に服用する丸薬用とすることにより、必要な薬を服用すべき時間等に合わせて保管しておくことも可能となる。なお、図４に示す実施例２においては、丸薬収容部を２つ設ける場合を例示したが、３つ以上の丸薬収容部を設けるように構成してもよい。
【００２９】
＜実施例３＞
図５は、本発明の実施例３による丸薬取り出し装置の概要を示す側面図であって、図５（ａ）は照明部をアーム部材に取り付けた装置の側面図であり、図４（ｂ）は照明部の具体的な使用状態を示す側面図である。なお、本実施例３においても、図１乃至図３に示した実施例１による丸薬取り出し装置１００と同一あるいは共通する構成については、同一の符号を付して再度の説明を省略する。
【００３０】
図５（ａ）に示すように、本発明の実施例３による丸薬取り出し装置３００は、その一例として、アーム部材１１０の本体部１１１の上面の一端（回動固定部１３０側の端部）の近傍に照明部３８０が取り付けられている。照明部３８０は、内部に電源（図示せず）等を備えた筒状本体部３８１と、該筒状本体部３８１の一端側をアーム部材１１０の本体部１１１の長手方向に回動自在に取り付ける支持部３８２と、により構成されている。また、筒状本体部３８１の一端には、ランプ部３８１ａが取り付けられており、図示を省略するスイッチにより点灯あるいは消灯する。
【００３１】
また、図５（ｂ）に示すように、照明部３８０は、筒状本体部３８１を支持部３８２の支持軸を中心に回動及び固定することにより、例えばアーム部材１１０の押圧部１１４側を照射する第１位置Ｐ１から当該第１位置に対向する第２位置までの間の任意の位置で、ランプ部３８１ａからの光の照射を可能とする。これにより、例えば周囲の明るさが不足しているような場合であっても、押圧部１１４や手元に追加的な明かりを照射して明るさを確保することができる。
【００３２】
以上、本発明による実施例及びこれに基づく変形例を説明したが、本発明は必ずしもこれらの例に限定されるものではない。また、当業者であれば、本発明の主旨又は添付した特許請求の範囲を逸脱することなく、様々な代替実施例及び改変例を見出すことができるであろう。
【符号の説明】
【００３３】
１００、２００、３００  丸薬取り出し装置
１１０  アーム部材
１１１  本体部
１１２  基部
１１３  突出部
１１４  押圧部
１２０  ベース部材
１２１  基板部
１２１ａ  貫通孔
１２２、２２２  取付部
１３０  回動固定部
１３１  支持板
１３２  挿通孔
１４０  包装体挟持部
１４１  下側挟持部材
１４２  上側挟持部材
１４３  締結部材
１５０、２５０  丸薬収容部
１５１、２５１  雄ねじ部
１７０  丸薬包装体
１７１  シート部
１７２  カバー部
３８０  照明部
３８１  筒状本体部
３８２  支持部
【図１】
2018110756.tif 000003
【図２】
2018110756.tif 000004
【図３】
2018110756.tif 000005
【図４】
2018110756.tif 000006
【図５】
2018110756.tif 000007